(57)【特許請求の範囲】
【請求項１】
抗体または抗原を結合させたラテックス粒子と、該ラテックス粒子を懸濁させる媒体とを含むラテックス凝集反応試薬において、５〜１０．０w/v%の硫酸塩類を含有することを特徴とするラテックス凝集反応試薬。
【請求項２】
硫酸塩類が硫酸ナトリウムおよび／または硫酸アンモニウムである請求項１記載のラテックス凝集反応試薬。
【請求項３】
ポリエチレングリコールを含有する請求項１または２記載のラテックス凝集反応試薬。
【請求項４】
ポリエチレングリコールの含有量が０．０５〜１．０W/V%の範囲である請求項３記載のラテックス凝集反応試薬。
【請求項５】
抗体または抗原を結合させたラテックス粒子と、該ラテックス粒子を懸濁させる媒体とを含むラテックス凝集反応において、５〜１０．０w/v%の硫酸塩類を含有させたことを特徴とするプロゾーン現象の抑制方法。
【請求項６】
硫酸塩類が硫酸ナトリウムおよび／または硫酸アンモニウムである請求項５記載のプロゾーン現象の抑制方法。
【請求項７】
ポリエチレングリコールを含有する請求項５または６記載のプロゾーン現象の抑制方法。
【請求項８】
ポリエチレングリコールの含有量が０．０５〜１．０W/v%の範囲である請求項７記載のプロゾーン現象の抑制方法。
【発明の詳細な説明】
【０００１】
【産業上の利用分野】
本発明は、免疫学的凝集反応試薬およびこれを用いたプロゾーン現象の抑制方法に関するもので、特に測定すべき抗原または抗体が検体中に高濃度に含まれる場合であっても、検体を希釈することなく原液のままで用いることができる免疫学的凝集反応試薬およびこれを用いたプロゾーン現象の抑制方法に関するものである。
【０００２】
【従来の技術】
近年、各種疾患と関連して生体中に出現する蛋白質等の免疫学的活性物質を抗原抗体反応を利用して検出し、診断に利用することが広く行われている。このような抗原抗体反応を利用した測定方法としては、放射免疫測定法（ＲＩＡ)、酵素免疫測定法(ＥＩＡ)、蛍光免疫測定法（ＦＩＡ）、ラテックス凝集法（ＬＡ）、免疫比濁法（ＴＩＡ）等の種々の方法が実用化されている。
【０００３】
とりわけ、ＬＡは操作が簡便でかつ短時間で測定可能なため広く利用されている。ＬＡでは、測定すべき抗原（または抗体）に対応する抗体（または抗原）がその表面に結合されたラテックス粒子が用いられる。このようなラテックス粒子は、緩衝液などの媒体中に懸濁され、検体と混合される。
【０００４】
検体中の抗原（または抗体）と、ラテックス表面上の抗体（または抗原）とが抗原抗体反応を起こし、免疫複合体を形成し、検体中の抗原（または抗体）を介してラテックス粒子が架橋されて、凝集する。この凝集の程度は、吸光度の変化または散乱光の強度の変化により簡単に測定することができる。このＬＡは、Ｂ／Ｆ分離が必要なＲＩＡやＥＩＡに比べて反応ステップが少ないため、測定方法が簡単で、しかも自動分析装置に適している。
【０００５】
しかしながら、検体中に高濃度に含まれる抗原（または抗体）、例えば、血清中に比較的高濃度に含まれるＣ反応性たんぱく質（ＣＲＰ）などを従来のＬＡ用試薬により測定すると、プロゾーン現象を起こし、実際よりかなり低い測定値しか得られず、精度良く診断することができない場合があった。
【０００６】
測定値からこのプロゾーン現象を判断することは困難であり、反応の起ち上がり即ち吸光度の上昇速度からプロゾーンを判定する手段が自動分析器の一部に搭載されているものの効果は十分ではない.。最も確実な手段は、測定を終了後に反応混合液中にさらにＣＲＰを添加し、測定値がさらに上昇するか、逆に減少するかによってプロゾーン現象であるかどうかを判断することである。プロゾーン現象であると判断された場合には、検体を希釈するか検体採取量を減じて、再度測定しなければならない。.このような繁雑な操作を避けるためプロゾーン現象を生じない試薬の提供が望まれていた。
【０００７】
このプロゾーン現象を改善する方法としては、測定に用いる水性溶媒のイオン強度を下げる方法、凝集試験用水性溶媒に特定分子量のデキストランを含有させた免疫定量法（特開昭５９−２２０６４６号公報）、検体と媒体との混合物中にアミノ酸を含有させたラテックス凝集法に基づく免疫定量法（特開昭６２−２７２１５７号公報）、添加剤としてポリエチレングリコール等の界面活性剤を含有させた免疫学的活性物質測定試薬（特開平８−２８５８４７号公報、特開平９−５４０９２号公報、特開平９−９６６３８号公報）、特定量の塩化ナトリウムを含有させた免疫学的測定法（特開平９−８９８９４号公報）等が提案されている。
【０００８】
【発明が解決しようとする課題】
しかしながら、これら公報に記載された上記の方法では、確かにプロゾーン現象に対する改善は認められるものの、測定すべき抗原または抗体が検体中に高濃度に含まれる場合には、プロゾーン現象の抑制効果は未だ不十分であり、更に改善された方法が強く望まれていた。
【０００９】
従って本発明は、このような従来の課題に着目してなされたものであって、測定すべき抗原または抗体が検体中に高濃度に含まれる場合であっても、プロゾーン現象を十分に抑制することのできる免疫学的凝集反応試薬およびこれを用いたプロゾーン現象の抑制方法を提供することを目的とする。
【００１０】
【課題を解決するための手段】
本発明者は、上記課題を解決すべく鋭意研究した結果、従来の免疫学的凝集反応試薬に、硫酸塩類および必要に応じてポリエチレングリコールを含有させることにより、プロゾーン現象の高い抑制効果が得られることを見い出し、本発明に到達した。
【００１１】
本発明の上記の課題は、抗体または抗原を結合させた不溶性担体粒子と、該不溶性坦体粒子を懸濁させる媒体とを含む免疫学的凝集反応試薬において、硫酸塩類および必要に応じてポリエチレングリコールを含有させたことを特徴とする免疫学的凝集反応試薬、およびこれを用いたプロゾーン現象の抑制方法により達成された。
【００１２】
以下、本発明について更に詳細に説明する。
【００１３】
本発明に使用する硫酸塩類は、公知の硫酸塩類の中から適宜選択して使用することができる。これら硫酸塩類の中でも、特に硫酸ナトリウムおよび／または硫酸アンモニウムが好ましい。
【００１４】
本発明においては、上記試薬全量に対して、硫酸塩類を１．０〜１０w／v%、好ましくは５．０〜１０w／v%、より好ましくは７．５w／v%となるように含有させる。硫酸塩類の含有量が１．０w／v%未満になると、プロゾーン現象を効果的に抑制することができず、逆に１０w／v%を超えると、凝集反応が阻害され却って測定値が低下する。
【００１５】
本発明においては、硫酸塩類を単独で添加した場合であっても、プロゾーン現象の抑制効果が不十分な場合には、更に硫酸塩類の他にポリエチレングリコールを添加することによってプロゾーン現象の抑制効果をより一層向上させることができる。
【００１６】
本発明に使用するポリエチレングリコールも、公知のものの中から適宜選択して使用すれば良い。その平均分子量は１０００〜１００００、好ましくは６０００である。ポリエチレングリコールは、試薬全体に対して０．０５〜１．０w／v%となるように含有させることが好ましい。
【００１７】
本発明において使用される不溶性担体粒子としては、従来から免疫学的凝集反応の担体粒子として使用されているものの中から適宜選択して使用することができる。その具体例としては、例えば無機物質粉末、有機高分子物質粉末、微生物、血球、細胞膜片などが挙げられる。無機物質としては、特に限定されないが、金、チタン、鉄、ニッケル等の金属、アルミナ、チタニア等の金属酸化物、シリカ等が挙げられる。有機高分子としては、特に限定されないが、スチレン重合体、スチレン−スチレンスルホン酸塩共重合体、メタクリル酸重合体、アクリル酸重合体、アクリルニトリル−ブダジエン−スチレン共重合体、塩化ビニル−アクリル酸エステル共重合体、酢酸ビニル−アクリル酸エステル共重合体等が挙げられるが、特にこれらの重合体粉末を水に均一に懸濁させたラテックス粒子が好ましい。
【００１８】
これら不溶性担体粒子への抗原または抗体の感作は、公知の方法に従って行うことができる。その具体例としては、例えば、グルタルアルデヒド、ビスジアゾベンジジン、トリレンジトイソシアネート、ジフロロニトロベンゼン、カルボジイミド類、キノン類、塩化クロム、タンニン酸等のいわゆるカップリング剤を用いた化学的結合法や抗原または抗体と担体を水溶性溶媒中（例えば、水、生理食塩水、各種緩衝液など）で接触させる物理的吸着法等が挙げられる。
【００１９】
本発明においては、上記担体粒子に感作させる抗原または抗体としては、特に限定されず、公知のものの中から適宜選択して使用することができる。その具体例としては、例えば、Ｃ反応性蛋白質（ＣＲＰ）、リウマチ因子（ＲＦ）、トランスフェリン等の血漿蛋白に対する抗体、甲状腺刺激ホルモン（ＴＳＨ）、トリヨードサイロニン、サイロキシン、サイロキシン結合性蛋白、サイログロブリン、インスリン、エストリオール、ヒト胎盤性ラクトーゲン等のホルモンに対する抗体、癌胎児性抗原（ＣＥＡ）、α−フェトプロテイン（ＡＦＰ）等の腫瘍関連物質に対する抗体、ＨＢｓ抗原、ＨＢｓ抗体、ＨＢｅ抗原、ＨＢｅ抗体等のウイルス肝炎の抗原に対する抗体および抗体に対する抗原、ムンプス、ヘルペス、麻疹、風疹等のウイルス、各種生体成分に対する抗体または抗原、フェノバルビタール、アセトアミノフェノン、サリチル酸、シクロスポリン等の各種薬剤に対する抗体が挙げられる。
【００２０】
上記担体粒子を懸濁させる媒体としては、従来既知のあらゆる凝集試験用水性媒体が利用でき、例えば水、生理食塩水、各種緩衝液（グッド緩衝剤、リン酸緩衝液、トリス塩酸緩衝液、ホウ酸緩衝液、グリシン緩衝液）、およびこれらの組み合わせからなる溶液が例示される。
【００２１】
本発明の免疫学的凝集反応試薬は、従来の方法に従って検体と試薬とを混合して反応させて生ずる担体粒子の凝集の程度を、その混合物の吸光度の変化や散乱光の強度の変化を測定することによって使用することができる。
【００２２】
【発明の効果】
本発明は、測定すべき抗原または抗体が検体中に高濃度に含まれる場合であっても、検体を希釈することなく原液のままで免疫測定を行うことを可能とする。従って本発明によれば、検体を正確に希釈するという時間と労力を要する作業を省略することができる。
【００２３】
【実施例】
以下、実施例によって本発明を更に詳細に説明するが、本発明はこれによって限定されるものではない。
【００２４】
実施例１
０〜１２５mg／ｄｌのＣＲＰを含む生理食塩水溶液３μlに、０、２．５、５．０、７．５、１０、１２．５w／v%の硫酸ナトリウムを含む０．１ＭのＨＥＰＥＳ緩衝液（ｐＨ７．４)２００μlを加えた。抗ＣＲＰ抗体（動物名：ヤギ）を結合した粒径０．０８μmのラテックス粒子の浮遊液（０．２w／v％)２００μlを混合物に加え、３７℃で反応させ、１〜５分後にかけて波長５７０ｎｍで吸光度を測定し、各測定点の間の吸光度変化量を求めた。測定には全自動分析装置日立７０７０（日立製作所製）を用いた。
【００２５】
その結果を図１に示す。図１に示すように、５．０、７．５、１０w／v%の硫酸ナトリウムを添加した場合には、抗原過剰によるプロゾーン現象は生じなかった。これに対し、２．５w／v%の硫酸ナトリウムを添加した場合には、プロゾーン現象の抑制効果は認められるものの、未だ不十分であり、硫酸ナトリウムを含まない場合には、抗原過剰によるプロゾーン現象が生じていることが判る。また、１２．５w／v%の硫酸ナトリウムを添加した場合には、凝集反応が阻害され、精度良く免疫測定が行えないことが判る。
【００２６】
実施例２
実施例１で用いた硫酸ナトリウムの代わりに、０、２．５、５．０、７．５、１０w／v%の硫酸アンモニウムを用いた以外は、実施例１と全く同様にしてプロゾーンの抑制効果を調べた。その結果を図２に示す。図２に示すように、５．０、７．５、１０w／v%の硫酸アンモニウムを添加した場合には、抗原過剰によるプロゾーン現象は生じなかった。これに対し、２．５w／v%の硫酸アンモニウムを添加した場合には、プロゾーン現象の抑制効果は認められるものの、未だ不十分であり、また硫酸アンモニウムを含まない場合には、抗原過剰によるプロゾーン現象が生じていることが判る。
【００２７】
実施例３
２．５w／v%の硫酸ナトリウムを添加し、更に０．０８、０．５w／v%のポリエチレングリコールを用いた以外は、実施例１と全く同様にしてプロゾーン現象の抑制効果を調べた。その結果を図３に示す。図３に示すように、硫酸ナトリウムとポリエチレングリコールを組み合わせた場合には、実施例１で得られた効果と比較して更にプロゾーンの抑制効果が向上したことが判る。
【図面の簡単な説明】
【図１】硫酸ナトリウムを用いた場合のプロゾーン現象の抑制効果を示すグラフ
【図２】硫酸アンモニウムを用いた場合のプロゾーン現象の抑制効果を示すグラフ
【図３】硫酸ナトリウムとポリエチレングリコールを組み合わせた場合のプロゾーン現象の抑制効果を示すグラフ
【図１】
0003966615.tif 000002
【図２】
0003966615.tif 000003
【図３】
0003966615.tif 000004